(57)【要約】【課題】夜会巻きのヘヤスタイルなどに毛髪を纏めるに際し、変形・屈曲したり破損し難い丈夫な細長い櫛歯を有し、纏めた毛髪から抜け落ち難い髪止め具を提供する。【解決手段】飾り部分分３と髪止め具本体２とを有し、髪止め具本体２には、平面視矩形状の薄板帯状であって、その幅方向の一方の側面４１に前記飾り部分３が結合される台座部分４と、該台座部分４の他方の側面４２から突出して、かつ互いに間隔を有して、設けられた多数の細長い薄板状の櫛歯５とを備え、その櫛歯５の長手方向に台座部分４からリブ６が形成されている。【選択図】図１
0003114622.tif 000002
【実用新案登録請求の範囲】
【請求項１】
飾り部分（３）と髪止め具本体（２）とを有し、髪止め具本体（２）には、平面視矩形状の薄板帯状であって、その幅方向の一方の側面（４１）に前記飾り部分（３）が結合される台座部分（４）と、該台座部分（４）の他方の側面（４２）から突出して、かつ互いに間隔を有して、設けられた多数の細長い薄板状の櫛歯（５）とを備え、その櫛歯（５）の長手方向に台座部分（４）からリブ（６）が形成されていることを特徴とする髪止め具。
【請求項２】
前記台座部分（４）が、前記櫛歯（５）を突出させながら、その板厚方向に湾曲し、その湾曲した凸とする方向に櫛歯（５）のリブ（６）として隆起部分（６１）が設けられていることを特徴とする請求項１に記載の髪止め具。
【請求項３】
前記リブ（６）が前記櫛歯（５）に沿いながら前記台座部分（４）の長手方向に向けて各々弓状にカーブして形成されていることを特徴とする請求項１又は請求項２に記載の髪止め具。
【請求項４】
前記櫛歯（５）の先端部分（５１）は前記リブ（６）が設けられておらず先細り状に形成されていることを特徴とする請求項１〜３のいずれかに記載の髪止め具。
【請求項５】
前記櫛歯（５）の左右幅方向に凹凸部分（６２）が設けられていることを特徴とする請求項１〜４のいずれかに記載の髪止め具。
【考案の詳細な説明】
【技術分野】
【０００１】
本考案は、髪止め具に関するものである。
【背景技術】
【０００２】
従来、髪止め具の一種として図６に示すものがある。この髪止め具７１は、首の廻りなどの垂れている毛髪を後頭部の横から持ってきて纏め、髪止め具本体７２の平面視矩形状の薄板帯状の台座部分７４の一方の側面に飾り部分７３を設け、他方の側面に設けられた細長い薄板状の多数の櫛歯７５で前記纏めた毛髪が乱れないように止めている。
この髪止め具７１は、首の廻りなどの垂れている毛髪を纏めるに際して、縦巻きに髪を纏める夜会巻きヘヤスタイルに主として適用される。
このような夜会巻き用に開閉板などで構成されたヘヤクリップ（髪止め具）で髪を巻き込んで纏めるものが提案されている（例えば、特許文献１参照。）。
【特許文献１】特開２００１−７００３１号公報（第５頁、第１３図）
【考案の開示】
【考案が解決しようとする課題】
【０００３】
前記従来技術のヘヤクリップ（髪止め具）であって、夜会巻き用に開閉板などで構成されたものは、毛髪のなかに巻き込まれて仕上がった毛髪を美しく見せるような美観の役は持っていない。また、細長い薄板帯状の多数の櫛歯を有する髪止め具は、上記美観に役立つ飾り部分を有しているが、細長い櫛歯が変形・屈曲したり、時には破損する。
本考案は、このような従来技術の問題点を解決できるようにした美観に役立つ飾り部分を有し、毛髪を纏めるに際して、細長い櫛歯が丈夫であって、変形・屈曲しにくく、まして破損しにくく、かつ髪止め具が纏めた毛髪から抜け落ち難いものを提供することを目的とする。
【０００４】
本考案は、華やかな席・和装・スーツ・カジュアルなどＴＰＯに合わせてアレンジ出来る夜会巻きのようなアップヘヤ正統派スタイルに適用できる髪止め具を提供することを目的とする。
【課題を解決するための手段】
【０００５】
本考案の髪止め具における課題解決のための具体的手段は、次の通りである。
飾り部分と髪止め具本体とを有し、髪止め具本体には、平面視矩形状の薄板帯状であって、その幅方向の一方の側面に前記飾り部分が結合される台座部分と、該台座部分の他方の側面から突出して、かつ互いに間隔を有して、設けられた多数の細長い薄板状の櫛歯とを備え、その櫛歯の長手方向に台座部分からリブが形成されている。
これによって、本考案の髪止め具は飾り部分によって視覚を通じて美観を起こさせると同時に、リブによって櫛歯が変形・屈曲したり破損するようなことがない。
【０００６】
また、台座部分が、前記櫛歯を突出させながら、その板厚方向に湾曲し、その湾曲した凸とする方向に櫛歯のリブとして隆起部分が設けられている。
これによって、髪止め具の手による取り扱いが便利である。最初に湾曲した凸とする方向の反対面（裏面）を上面として手に持って表面の毛髪をすくって、その後、髪止め具を手でひっくり返して表面を上面とする夜会巻き用ヘヤスタイルを作成するのに便利である
。細長い薄板状の櫛歯自体を加工して隆起部分を設けているので、櫛歯の変形・屈曲などが起こりにくく、破損しにくい。
【０００７】
また、前記リブが前記櫛歯に沿いながら前記台座部分の長手方向に向けて各々弓状に形成されていることが好ましい。
これによって、弓状に形成されたリブを有する櫛歯は表面の毛髪をすくって毛髪をしっかり纏めることができ、リブが設けられているので丈夫である。
また、櫛歯の先端部分は前記リブが設けられておらず先細り状に形成されていることが好ましい。これにより、毛髪の中に櫛歯が挿入しやすく毛髪を纏めやすい。
櫛歯の左右幅方向に凹凸部分が設けられていることが好ましい。
【０００８】
これにより、櫛歯の変形・屈曲や破損もしにくく、かつ纏めた毛髪の中に挿入した櫛歯が抜けにくい。
【考案の効果】
【０００９】
本考案の髪止め具によれば、美観に役立つ飾り部分を有し、毛髪を纏めるに際して、細長い櫛歯が変形・屈曲したり破損するようなことが起こり難く、かつ纏めた毛髪から本髪止め具が抜け難い。そして、夜会巻きのヘヤスタイルに仕上げるのに適している。
【考案を実施するための最良の形態】
【００１０】
以下、本考案の実施の形態を図面に基づいて説明する。
図１〜５は、本考案の髪止め具１の実施の一形態を示すものである。
すなわち、図１は、髪止め具１の髪止め具本体２がその飾り部分３に溶接などにより結合される前の、髪止め具本体２の斜視図である。
髪止め具１は、髪止め具本体２と飾り部分３で構成されている。飾り部分３は、例えば図６に示したような従来の髪止め具７１を使用すれば良い。飾り部分３は、纏めた毛髪を美しく引き立たせるラインストーン、天然石、パール、ビーズなど美観に役立つ装飾部分３１が、図３のように、纏めた毛髪の表に出ている。
【００１１】
本考案の髪止め具本体２は台座部分４と櫛歯５で構成されている。
台座部分４は、図１のように、平面視矩形状の薄板帯状であって、その幅方向の一方の側面４１に飾り部分３が付設された装飾部分３１の反対面が結合される。台座部分４の他方の側面４２から突出して等間隔に細長い薄板状の櫛歯５が多数設けられている。
なお、台座部分４と櫛歯５は、一体の金属板を打ち抜いて作成したものである。したがって、台座部分４と櫛歯５とは一体化されている。この金属板は、軽くて強いチタンのようなものが好ましいが、チタンに限定されるものではない。その表面処理は多層メッキなどであって、毛髪に対してすべりが良く、耐食性があり、美しいものであればよい。なお、多層メッキに限定するするものではなく、コーテイング表面処理でも良い。
【００１２】
台座部分４は、櫛歯５を平面視矩形状の幅方向の他方の側面４２に突出させたまま、平面視矩形状の板厚方向に湾曲している。すなわち、図１の斜視図のように、例えば平面状態における長さ８ｃｍに対してその湾曲ｈが１．５ｃｍ程度である。そして前記湾曲した剛体である飾り部分３が付設された装飾部分３１の反対面に台座部分４の一方の側面４１が結合されることにより、台座部分４の湾曲は一定の円弧を持ったものとなっている。
次に、櫛歯５の先端部分５１は図１、図２及び図４に示されるように先細り部分となっている。また、櫛歯５のその先端部分５１以外は、リブ６が形成されている。このリブ６は、櫛歯５の長手方向の隆起部分６１と、櫛歯の左右幅方向に、ほぼ左右互い違いに凹凸を成す左右凹凸部分６２ａ、６２ｂとから構成されている（図１、図２、図４）。
【００１３】
このリブ６の隆起部分６１の隆起方向は、髪止め具本体２の表面２１方向であって、台座部分４が板厚方向に湾曲した凸方向である。隆起部分６１の形成された表面２１の反対の裏面２２には、その隆起に対応して櫛歯５の長手方向に窪み部分６５が形成されている（図１、図５（ａ）（ｂ））。
これら隆起部分６１や左右凹凸部分６２ａ、６２ｂによって、櫛歯５の重量を増すことがなく、櫛歯５は、厚みを増して、補強され、櫛歯５の変形・屈曲が起こりにくく、破損しにくくなる。また、櫛歯５の先端部分５１の先細りと、この左右凹凸部分６２ａ、６２ｂとによって、纏めた毛髪に櫛歯５が差し込みやすく、かつ抜けにくくなる。しかも、隣接する櫛歯５、５の各々左右凹凸部分６２ａ、６２ｂは、ほぼ左右互い違いに凹凸を成すので、個々の櫛歯５同志の間には毛髪の通過できる隙間がある。
【００１４】
この隆起部分６１と左右凹凸部分６２ａ、６２ｂの状況を、図５に示すように、櫛歯５の断面で示す。図５（ａ）は、図４のＡ−Ａ断面に示したように左右凹凸部分６２ａ、６２ｂにおける左凸部分６３ａ、右凹部分６４ｂの断面、図５（ｂ）は、図４のＢ−Ｂ断面に示したように左右凹凸部分６２ａ、６２ｂにおける左凹部分６４ａ、右凸部分６３ｂの断面である。なお、いずれの断面においても隆起部分６１に対応して窪み部分６５が形成されている。
また、櫛歯５は、台座部分４の長手方向に向けて弓状にカーブして形成されている（図１、図２、図４）。すなわち、例えば櫛歯５の長さ５ｃｍに対して０．５ｃｍ程度弓状にカーブしている。
【００１５】
さて、台座部分４の湾曲の凸方向は、前述のように髪止め具本体２の表面２１を上面とすれば、右側に飾り部分３の装飾部分３１がある場合である。このようにすれば、本考案の髪止め具本体２の裏面２２を上面として右手で飾り部分３を持つと、飾り部分３のパールなどの装飾部分３１は右側であって、髪止め具本体２がそりかえった状態の髪止め具１になり、櫛歯５の先端部分５１は上方に向いて弓状にカーブしている。
本考案の髪止め具本体２の裏面２２を上面として右手で飾り部分３を持ち、巻き上げ纏めた後頭部の毛髪に、右から左へ表面の毛髪を櫛歯５ですくいながら櫛歯５を差し、次に左側の毛髪を同じく櫛歯５で取り込みながら、髪止め具１を大きくひっくり返すと、本考案の髪止め具１でがっちりと毛髪を纏めて固定できる（夜会巻きヘヤスタイル）。なお、上記のように毛髪を纏めて固定するまでの髪止め具１の動きを、曲線Ｘ（図３）で図示する。
【００１６】
櫛歯５にリブ６を設けていることにより、本考案の髪止め具１を上記のように大きくひっくり返すような大きな応力を櫛歯５にかけても、櫛歯５が変形・屈曲せず、破損しない。
すなわち、後頭部の表面の毛髪を右から左へすくいながら本考案の髪止め具１を挿し、次に左側の毛髪を取り込みながら大きくひっくり返すと、櫛歯５を折り曲げる応力が櫛歯５の長手直角方向に作用するが、櫛歯５の長手方向であって、その表面２１（裏面２２）に設けられた隆起部分６１（窪み部分６５）が櫛歯５を折り曲げようとする応力に対する抵抗力となる。しかも、櫛歯５自体は、毛髪を纏めるに相応しい、しなやかさを持ち続けている。
【００１７】
台座部分４の湾曲の凸方向を、髪止め具本体２の裏面２２を上面として左手で飾り部分３を持つと、髪止め具本体２がそりかえった状態の髪止め具１になり、櫛歯５の先端部分５１は上方に向いて弓状にカーブしている髪止め具１は、上記と左右逆に夜会巻きのヘヤスタイルを作成するためのに好適となる。
本考案の髪止め具１は、前記夜会巻きのヘヤスタイルのほかに、ヘヤスタイルの補強兼飾りとして使用するのにも好適である。例えば、後ろのウイッグと毛髪との境目を華麗に隠すのに役立つ。
【００１８】
なお、本考案は前記実施形態における各部材の形状及びそれぞれの前後・左右・上下の位置関係は、図１〜５に示すように構成することが最良である。しかし、前記実施形態に限定されるものではなく、部材、構成を種々変形したり、組み合わせを変更したりすることもできる。櫛歯５の本数や髪止め具１自体の大きさも限定しない。
例えば、本実施形態の櫛歯５のリブ６は、隆起部分６１に加えて、左右互い違いに凹凸を成す左右凹凸部分６２ａ、６２ｂを有しているが、左右互い違いに限定せず、左右互い違いでなくても良い。但し、隣接する櫛歯５、５の左右凹凸部分６２ａ、６２ｂの間に毛髪が通過する隙間を設けておくことが必要である。
【００１９】
なお、左右凸部分６３ａ、６３ｂの先端の山形がなだらかであることが好ましい。さらに、左右凹凸部分６２ａ、６２ｂに限定せず、左右一様の幅広がり状になっていてもよい。
櫛歯５は、台座部分４の長手方向に向けて弓状にカーブしていることに限定せず、真っ直ぐなものでも良く、Ｓ字状にカーブしていても良い。隆起部分６１（窪み部分６５）は、櫛歯５の長手方向に一本に限定せず、複数が設定されていても良い。
【図面の簡単な説明】
【００２０】
【図１】本考案の髪止め具における髪止め具本体の斜視図である。
【図２】同一部正面図である。
【図３】飾り部を顕示して髪止め具を装着した人物頭部の背面図である。
【図４】本考案の髪止め具における櫛歯の一部斜視図である。
【図５】同櫛歯の図４の一部断面図である。
【図６】従来の髪止め具の斜視図である。
【符号の説明】
【００２１】
１        髪止め具
２        髪止め具本体
２１    （髪止め具本体）表面
３        飾り部分
４        台座部分
４１    （台座部分）一方の側面
４２    （同）他方の側面
５        櫛歯
５１    （櫛歯）先端部分
６        リブ
６１    （リブ）隆起部分
６２      凹凸部分
【図１】
0003114622.tif 000003
【図２】
0003114622.tif 000004
【図３】
0003114622.tif 000005
【図４】
0003114622.tif 000006
【図５】
0003114622.tif 000007
【図６】
0003114622.tif 000008